【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】
装置本体と、
前記装置本体に対して着脱可能であって少なくとも像担持体とメモリとを有するカートリッジと、
所定の画像情報に基づいて前記像担持体に露光する露光ユニットと、
前記カートリッジが前記装置本体に装着されているときに前記メモリと通信するためのアンテナと、
前記アンテナと電気的に接続された回路基板と、
前記回路基板の下方に配置されシート材を搬送する搬送路と、を有する画像形成装置において、
前記回路基板は、
前記露光ユニットの投影面内下方に配置されており、
前記露光ユニットと前記搬送路は、
前記回路基板から発生する放射ノイズを遮るシールド機能を備えることを特徴とする画像形成装置。
【請求項２】
前記露光ユニットの一部と前記搬送路の一部はそれぞれ板金によって形成され、該板金が前記回路基板から発生する放射ノイズを遮ることを特徴とする請求項１に記載の画像形成装置。
【請求項３】
前記露光ユニットの一部を形成する板金は、
前記回路基板における回路構成素子の配置面に対峙して設けられる蓋部と、前記回路基板の側面を囲む側面部とを有することを特徴とする請求項２に記載の画像形成装置。
【手続補正２】
【補正対象書類名】明細書
【補正対象項目名】０００４
【補正方法】変更
【補正の内容】
【０００４】
１はメインフレーム（画像形成装置本体）、２はスキャナーユニット、３はトナーカー
トリッジ、４はトナーカートリッジメモリー部である。トナーカートリッジメモリー部４は、トナーカートリッジ３の先端に配置され、リード／ライト（読み／書き）回路基板５、アンテナ部６、搬送ガイドユニット７、リード／ライト回路基板５とアンテナ部６とを結ぶケーブル８等を備えて構成されている。リード／ライト回路基板５は、装置本体１のエンジンコントローラ（図示略）と通信を行う。このリード／ライト回路基板５はまた、トナーカートリッジメモリー部４への情報の読み書きを行うべく同トナーカートリッジメモリー部４とは非接触の状態にあるアンテナ部６に高周波電流を流して磁界を発生させる（磁界発生域は図示の通り）。この磁界を利用してアンテナ部６（装置本体側）及びトナーカートリッジメモリー部４（トナーカートリッジ側）間の通信を行い、メモリー情報の読み書きを行う。この磁界を発生させるための電気制御はリード／ライト回路基板５にて行う。ここで用いられる高周波電流はリード／ライト回路基板内の発振素子によって発生し、その周波数を数十ＭＨｚ程度とするものである。この結果、このリード／ライト回路基板５より放射ノイズが発生する。
【手続補正３】
【補正対象書類名】明細書
【補正対象項目名】０００８
【補正方法】変更
【補正の内容】
【０００８】
【課題を解決するための手段】
上記目的を達成するために、本発明は、装置本体と、前記装置本体に対して着脱可能であって少なくとも像担持体とメモリとを有するカートリッジと、所定の画像情報に基づいて前記像担持体に露光する露光ユニットと、前記カートリッジが前記装置本体に装着されているときに前記メモリと通信するためのアンテナと、前記アンテナと電気的に接続された回路基板と、前記回路基板の下方に配置されシート材を搬送する搬送路と、を有する画像形成装置において、前記回路基板は、前記露光ユニットの投影面内下方に配置されており、前記露光ユニットと前記搬送路は、前記回路基板から発生する放射ノイズを遮るシールド機能を備えることを要旨とする。
【手続補正４】
【補正対象書類名】明細書
【補正対象項目名】０００９
【補正方法】変更
【補正の内容】
【０００９】
また、前記露光ユニットの一部と前記搬送路の一部は、それぞれ板金によって形成され、該板金が前記回路基板から発生する放射ノイズを遮る構成であるとよい。
【手続補正５】
【補正対象書類名】明細書
【補正対象項目名】００１０
【補正方法】変更
【補正の内容】
【００１０】
また、前記露光ユニットの一部を形成する板金は、前記回路基板における回路構成素子の配置面に対峙して設けられる蓋部と、前記回路基板の側面を囲む側面部とを有してなるのがよい。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
上記構成によれば、高価な部品を新たに付加することもなく、メモリー読み書き用回路基板から発生する放射ノイズを好適に低減することができるようになる。
【手続補正１１】
【補正対象書類名】明細書
【補正対象項目名】００２７
【補正方法】変更
【補正の内容】
【００２７】
本実施の形態におけるスキャナーユニット２の構成はスキャナーユニット部の上部材１０に板金を用いる。上部材１０は不図示のアースに電気的に接続している。リード／ライト回路基板５はスキャナーユニット２の略投影面内で且つスキャナーユニット２とシート材搬送路の間に配置する。さらに、シート材搬送路を構成している搬送ガイドユニット７はその一部に板金１１を有する。この板金１１は不図示のアースに電気的に接続している。シート材が帯電しこの搬送路を搬送される時に、シート材が帯電しているためにこの板金１１に自然吸引されることで安定して搬送され、シート材は搬送ガイドユニット７の板金１１ではなくモールド部材１２に接し搬送される。このモールド部材１２を用いない場合には板金に絶縁性皮膜が必要となる。これらの構成により、リード／ライト回路基板５、高周波電流を出力する発信素子から発生する放射ノイズが、リード／ライト回路基板５の高周波素子の配置面に対峙する板金１０、及びその反対側の面に対峙するよう配設された板金１１により低減される。
【手続補正１２】
【補正対象書類名】明細書
【補正対象項目名】００３２
【補正方法】変更
【補正の内容】
【００３２】
さらに、本実施の形態にかかる画像形成装置１にあっては、シート材搬送路を構成している搬送ガイドユニット７がその一部として板金１１を含む。この板金１１は不図示のアースに電気的に接続している。シート材が帯電しこの搬送路を搬送される時に、シート材が帯電しているためにこの板金１１に自然吸引されることで搬送され、シート材は搬送ガイドユニット７の板金１１ではなくモールド部材１２に接し搬送される。このモールド部材１２を用いない場合には板金に絶縁性皮膜が必要となる。
【手続補正１３】
【補正対象書類名】明細書
【補正対象項目名】００３３
【補正方法】変更
【補正の内容】
【００３３】
このような構成により、リード／ライト回路基板５より発生する放射ノイズが、同回路基板５の周囲を取り囲むスキャナーユニット２の板金部材１３、及び搬送ガイドユニット７の板金部材１１によって好適に低減される。
【手続補正１４】
【補正対象書類名】明細書
【補正対象項目名】符号の説明
【補正方法】変更
【補正の内容】
【符号の説明】
１  メインフレーム（画像形成装置本体）
２  スキャナーユニット
３  トナーカートリッジ
４  トナーカートリッジメモリー部（記憶媒体）
５  リード／ライト回路基板
６  アンテナ部
７  搬送ガイドユニット
８  ケーブル
９  スキャナーユニット底板（板金）
１０  スキャナーユニット上板（板金）
１１  搬送ガイドユニット板金部材
１２  搬送ガイドユニットモールド部材
１３  スキャナーユニット底板